【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
複数の視差画像と、前記視差画像を加算合成して得た撮像画像とを取得可能な撮像装置であって、
第１の絞り値を設定する設定手段と、
前記第１の絞り値よりも小さな第２の絞り値を用いた撮影により、複数の視差画像を取得する撮像手段と、
前記視差画像を加算合成して撮像画像を生成する第１の生成手段と、
前記第１の生成手段が生成した前記撮像画像と前記複数の視差画像とを用いたリフォーカス処理により、前記第１の絞り値を用いたときと同等の被写界深度を有する画像を生成する第２の生成手段と、
を有することを特徴とする撮像装置。
【請求項２】
前記第２の生成手段は、前記第２の絞り値に対応する被写界深度と前記第１の絞り値を用いたときと同等の被写界深度の差を補う被写界深度を有する画像を生成するためのリフォーカス処理を行う、
ことを特徴とする請求項１に記載の撮像装置。
【請求項３】
複数の視差画像と、前記視差画像を加算合成して得た撮像画像とを取得可能な撮像装置であって、
設定されている第１の絞り値に対応する撮像画像の第１の被写界深度を取得する取得手段と、
前記第１の被写界深度よりも浅い第２の被写界深度の画像を取得するための第２の絞り値であって、前記第２の絞り値を用いた撮影により得られる視差画像をリフォーカス処理することにより、前記第１の被写界深度と同等の画像を生成可能とするための前記第２の絞り値を決定する決定手段と、
前記決定手段が決定した前記第２の絞り値を用いた撮影により、複数の視差画像と前記視差画像を加算合成して得た撮像画像とを取得する撮像手段と、
を有することを特徴とする撮像装置。
【請求項４】
前記撮像手段は、各画素が独立した複数の光電変換領域を有する撮像素子を用いて、前記複数の視差画像を取得し、
前記第１の生成手段は、前記視差画像を加算合成して得た前記撮像画像を生成する、
ことを特徴とする請求項１から２のいずれか１項に記載の撮像装置。
【請求項５】
複数の視差画像と、前記視差画像を加算合成して得た撮像画像とを取得可能な撮像装置であって、
設定されている第１の撮影条件に対応する前記撮像画像の第１の被写界深度を取得する取得手段と、
前記撮像画像の被写界深度が前記第１の被写界深度よりも浅い第２の被写界深度となる１つ以上の第２の撮影条件について、対応する前記視差画像から得られる画像によって実現可能な被写界深度の範囲を算出する算出手段と、
前記第２の撮影条件のうち、前記第２の被写界深度と前記被写界深度の範囲とによって前記第１の被写界深度を実現できる撮影条件によって撮像を行い、複数の視差画像を取得する撮像手段と、
前記視差画像を加算合成して撮像画像を取得する画像取得手段と、
前記撮像手段が取得した前記複数の視差画像から、前記第２の被写界深度と前記第１の被写界深度の差を補う被写界深度を有する画像を生成する生成手段と、
前記画像取得手段が取得した前記撮像画像と、前記生成手段が生成した画像とを合成して、前記第１の被写界深度を有する画像を生成する合成手段と、
を有することを特徴とする撮像装置。
【請求項６】
前記第２の撮影条件のうち、前記第２の被写界深度と前記被写界深度の範囲とによって前記第１の被写界深度を実現できる絞り値を決定する決定手段をさらに有し、
前記撮像手段は、前記絞り値によって撮像を行う、
ことを特徴とする請求項５に記載の撮像装置。
【請求項７】
前記決定手段は、前記第１の被写界深度を実現できる絞り値が複数ある場合、予め定められた順序に従って前記絞り値を決定する、
ことを特徴とする請求項６に記載の撮像装置。
【請求項８】
前記予め定められた順序は、前記撮像装置の有する光学特性、または前記撮像装置に設定可能な感度域に応じて定まる、
ことを特徴とする請求項７に記載の撮像装置。
【請求項９】
前記第１の被写界深度を実現できる複数の絞り値のうち、回折が生じる絞り値を除外して前記絞り値を決定する、
ことを特徴とする請求項７または８に記載の撮像装置。
【請求項１０】
前記算出手段は、前記撮像装置の有する撮像素子の画素の構成に基づいて、前記実現可能な被写界深度の範囲を算出する、
ことを特徴とする請求項５から９のいずれか１項に記載の撮像装置。
【請求項１１】
前記生成手段は、前記第２の被写界深度と前記第１の被写界深度の差を補う被写界深度を有する複数の画像を生成し、
前記合成手段は、前記撮像画像と、前記生成手段が生成した前記複数の画像とを合成する、
ことを特徴とする請求項５から１０のいずれか１項に記載の撮像装置。
【請求項１２】
前記撮像手段は、各画素が独立した複数の光電変換領域を有する撮像素子を用いて、前記複数の視差画像を取得する、
ことを特徴とする請求項５から１０のいずれか１項に記載の撮像装置。
【請求項１３】
前記画像取得手段は、前記複数の光電変換領域の出力を画素ごとに加算することにより前記撮像画像を取得する、
ことを特徴とする請求項１２に記載の撮像装置。
【請求項１４】
複数の視差画像と、前記視差画像を加算合成して得た撮像画像とを取得可能な撮像装置の制御方法であって、
設定手段が、第１の絞り値を設定する設定工程と、
撮像手段が、前記第１の絞り値よりも小さな第２の絞り値を用いた撮影により、複数の視差画像を取得する撮像工程と、
第１の生成手段が、前記視差画像を加算合成して撮像画像を生成する第１の生成工程と、
第２の生成手段が、前記第１の生成工程において生成された前記撮像画像と前記複数の視差画像とを用いたリフォーカス処理により、前記第１の絞り値を用いたときと同等の被写界深度を有する画像を生成する第２の生成工程と、
を有することを特徴とする撮像装置の制御方法。
【請求項１５】
複数の視差画像と、前記視差画像を加算合成して得た撮像画像とを取得可能な撮像装置の制御方法であって、
取得手段が、設定されている第１の絞り値に対応する撮像画像の第１の被写界深度を取得する取得工程と、
決定手段が、前記第１の被写界深度よりも浅い第２の被写界深度の画像を取得するための第２の絞り値であって、前記第２の絞り値を用いた撮影により得られる視差画像をリフォーカス処理することにより、前記第１の被写界深度と同等の画像を生成可能とするための前記第２の絞り値を決定する決定工程と、
撮像手段が、前記決定手段が決定した前記第２の絞り値を用いた撮影により、複数の視差画像と前記視差画像を加算合成して得た撮像画像とを取得する撮像工程と、
を有することを特徴とする撮像装置の制御方法。
【請求項１６】
複数の視差画像と、前記視差画像を加算合成して得た撮像画像とを取得可能な撮像装置の制御方法であって、
取得手段が、設定されている第１の撮影条件に対応する前記撮像画像の第１の被写界深度を取得する取得工程と、
算出手段が、前記撮像画像の被写界深度が前記第１の被写界深度よりも浅い第２の被写界深度となる１つ以上の第２の撮影条件について、対応する前記視差画像から得られる画像によって実現可能な被写界深度の範囲を算出する算出工程と、
撮像手段が、前記第２の撮影条件のうち、前記第２の被写界深度と前記被写界深度の範囲とによって前記第１の被写界深度を実現できる撮影条件によって撮像を行い、複数の視差画像を取得する撮像工程と、
画像取得手段が、前記視差画像を加算合成して撮像画像を取得する画像取得工程と、
生成手段が、前記撮像工程において取得された前記複数の視差画像から、前記第２の被写界深度と前記第１の被写界深度の差を補う被写界深度を有する画像を生成する生成工程と、
合成手段が、前記画像取得工程において取得された前記撮像画像と、前記生成工程において生成された画像とを合成して、前記第１の被写界深度を有する画像を生成する合成手段と、
を有することを特徴とする撮像装置の制御方法。
【請求項１７】
コンピュータに、請求項１４から１６のいずれか１項に記載の撮像装置の制御方法の各工程を実行させるためのプログラム。
【請求項１８】
コンピュータに請求項１４から１６のいずれか１項に記載の撮像装置の制御方法の各工程を実行させるためのプログラムを格納した、コンピュータが読み取り可能な記憶媒体。